(57)【要約】      （修正有）【課題】引抜きバイブレータによりトンネル覆工の天端付近に打設したコンクリートの締め固めを行う際に、引抜きバイブレータ及びそのケーブルを確実に支持するとともに、締め固め終了後に型枠の外側に容易に取り外すことができる引抜きバイブレータを提供する。【解決手段】トンネル覆工の天端付近においてコンクリートを打設する際に、締め固めに使用する引抜きバイブレータ及びそのケーブル５０を下側から支持するための支持具１０であって、トンネル覆工用型枠２０に設けた挿通孔２１を介して、トンネル内空側と地山側との間で挿脱可能な平板状の本体部１１と、本体部１１の挿入先端側に設けた断面略Ｕ字状の支持凹部１２を備える。また、本体部１１は、トンネル覆工用型枠２０に止着する止着部（止着孔１４）を備えることが可能であり、さらに、トンネル覆工用型枠の内空側に位置するように、把持部を備える。【選択図】図３
2015209669.tif 000002
【特許請求の範囲】
【請求項１】
トンネル覆工の天端付近においてコンクリートを打設する際に、締め固めに使用する引抜きバイブレータ及びそのケーブルを下側から支持するための支持具であって、
トンネル覆工用型枠に設けた挿通孔を介して、トンネル内空側と地山側との間で挿脱可能な平板状の本体部と、
前記本体部の挿入先端側に設けた断面略Ｕ字状の支持凹部と、
を備えたことを特徴とするトンネル覆工施工時に使用する引抜きバイブレータの支持具。
【請求項２】
前記本体部は、前記トンネル覆工用型枠に止着する止着部を備えたことを特徴とする請求項１に記載のトンネル覆工施工時に使用する引抜きバイブレータの支持具。
【請求項３】
前記本体部は、前記トンネル覆工用型枠の内空側に位置するように、把持部を備えたことを特徴とする請求項１又は２に記載のトンネル覆工施工時に使用する引抜きバイブレータの支持具。
【発明の詳細な説明】
【技術分野】
【０００１】
本発明は、トンネル覆工施工時に使用する引抜きバイブレータの支持具に関するものであり、詳しくは、トンネル覆工コンクリートを打設する際に、天端付近においてコンクリートを締め固めるための引抜きバイブレータ及びそのケーブルを支持するための支持具に関するものである。
【背景技術】
【０００２】
従来、トンネル覆工コンクリートを打設する際に、天端付近においてコンクリートを締め固めるために、引抜きバイブレータ及びそのケーブルを使用する技術が知られている（特許文献１参照）。このバイブレータ引抜きシステムは、強化用鉄筋構造の解体や再組付けの必要がなく棒状バイブレータの引抜き作業を簡易かつ迅速に行うことができるようにしたものである。具体的には、バイブレータ引抜き装置に取り付けられる第１ワイヤ係止具と、棒状バイブレータの外周に離脱可能に取り付けられる第２ワイヤ係止具と、バイブレータ引抜き装置を退入させた状態で第１ワイヤ係止具に一端が係止され、他端が第２ワイヤ係止具に係止されるワイヤ部材と、ワイヤ部材を作業空間外から作業空間内へ経由させるワイヤ経由部材とを備えている。
【０００３】
また、引抜きバイブレータ及びそのケーブルを用いたコンクリートの締め固めに使用する支持具に関する技術がある（特許文献２参照）。この支持具（ガイド）は、トンネル内に設置した型枠とトンネルの内周壁面との間に設けたコンクリート打設室内に型枠の開口から進入させるものである。トンネル覆工の天端付近において、当該ガイドに沿ってコンクリート締め固め用バイブレータをコンクリート打設室外から前進向きに挿入した後、コンクリート打設室内にコンクリートを充填する。次に、コンクリート締め固め用バイブレータをコンクリート打設室内からコンクリート打設室外へコンクリート打設室内のガイドに沿って後退向きに引き出した後、コンクリート打設室内でコンクリート内に残ったガイドを型枠の開口まで退避させてその開口をそのガイドにより閉塞するようになっている。
【先行技術文献】
【特許文献】
【０００４】
【特許文献１】特開２０１３−６０７４７号公報
【特許文献２】特開２００６−３３６２５８号公報
【発明の概要】
【発明が解決しようとする課題】
【０００５】
しかし、特許文献２に記載された支持具は、断面円形の開口部を有しており、この開口部内に引抜きバイブレータ及びそのケーブルを挿通することにより、引抜きバイブレータ及びそのケーブルを下側から支持するようになっている。すなわち、引抜きバイブレータを支持するために、断面円形の開口部内に引抜きバイブレータ及びそのケーブルを挿通する作業が必要であり、狭い作業空間（トンネル覆工用型枠と地山との空間）において当該作業を行うことは容易ではない。
【０００６】
また、コンクリートを打設して締め固めるには、作業空間へ引抜きバイブレータを押し込む作業と引抜く作業が必要であり、開口部に引抜きバイブレータやケーブルが引っ掛かってしまうと、その取り外し作業が必要となり、コンクリートの締め固めを適切に行うことができないおそれがある。
【０００７】
本発明は、上述した事情に鑑み提案されたもので、引抜きバイブレータによりトンネル覆工の天端付近に打設したコンクリートの締め固めを行う際に、引抜きバイブレータ及びそのケーブルを確実に支持するとともに、締め固め終了後に型枠の外側に容易に取り外すことが可能なトンネル覆工施工時に使用する引抜きバイブレータの支持具を提供することを目的とする。
【課題を解決するための手段】
【０００８】
本発明のトンネル覆工施工時に使用する引抜きバイブレータの支持具（以下、支持具と略記することがある）は、トンネル覆工の天端付近においてコンクリートを打設する際に、締め固めに使用する引抜きバイブレータ及びそのケーブルを下側から支持するための支持具であって、トンネル覆工用型枠に設けた挿通孔を介して、内空側と地山側との間で挿脱可能な平板状の本体部と、本体部の挿入先端側に設けた断面略Ｕ字状の支持凹部とを備えたことを特徴とするものである。
【０００９】
また、上述した構成からなる支持具の本体部は、トンネル覆工用型枠に止着する止着部（止着孔）を備えることが可能であり、さらに、トンネル覆工用型枠の内空側に位置するように、把持部を備えることが可能である。
【発明の効果】
【００１０】
本発明の支持具は、バイブレータ及びそのケーブルを下側から支持するための支持凹部を備えている。この支持凹部は、上部が開放しているため、上方からバイブレータ及びそのケーブルを載置することができる。この点、従来の支持具は、バイブレータ及びそのケーブルを開口部内に挿通しなければならないが、本発明の支持具は、このような手間を省くことができる。
【００１１】
したがって、容易かつ確実に、引抜きバイブレータ及びそのケーブルを確実に支持することができるので、作業の省力化を図ることが可能となる。
【００１２】
また、締め固め作業終了後には、支持具をトンネル覆工用型枠の内空側に取り外すことができるので、この点においても、作業の省力化を図ることが可能となる。
【図面の簡単な説明】
【００１３】
【図１】本発明の実施形態に係る支持具の正面図。
【図２】本発明の実施形態に係る支持具をトンネル覆工用型枠に取り付けるための取付部の側面図。
【図３】本発明の実施形態に係る支持具を用いて引抜きバイブレータを支持した状態を示す正面図。
【図４】本発明の実施形態に係る支持具を用いて引抜きバイブレータを支持した状態を示すトンネル延長方向の断面図。
【図５】本発明の実施形態に係る閉塞具の正面図（ａ）、側面図（ｂ）、平面図（ｃ）。
【発明を実施するための形態】
【００１４】
以下、図面を参照して、本発明の実施形態に係るトンネル覆工施工時に使用する引抜きバイブレータの支持具を説明する。図１〜図４は本発明の実施形態に係る支持具を説明するもので、図１は支持具の正面図、図２は支持具をトンネル覆工用型枠に取り付けるための取付部の側面図、図３は支持具を用いて引抜きバイブレータを支持した状態を示す正面図、図４は支持具を用いて引抜きバイブレータを支持した状態を示すトンネル延長方向の断面図である。また、図５は、トンネル覆工用型枠の挿通孔から支持具を引抜いた後、挿通孔に取り付ける閉塞具の正面図（ａ）、側面図（ｂ）、平面図（ｃ）である。
【００１５】
＜支持具の概略構成＞
本発明の実施形態に係る支持具１０は、図３に示すように、トンネル覆工の天端付近においてコンクリートを打設する際に、締め固めに使用する引抜きバイブレータ及びそのケーブル５０を下側から支持するための器具である。この支持具１０は、図１及び図３に示すように、本体部１１と、本体部１１の先端側（上側）に設けた支持凹部１２と、本体部１１の基端側（下側）に設けた把持部１３とを備えている。なお、トンネル覆工用型枠２０の挿通孔２１から支持具１０を取り外した後は、図５に示す閉塞具３０により挿通孔２１を閉塞する。
【００１６】
＜トンネル覆工用型枠＞
本発明の実施形態に係る支持具１０を適用する型枠装置は、図示しないが、例えば、セントル（スライドフォーム）と称される装置であり、トンネルの内壁面に合致したアーチ状で、トンネルの延長方向に移動可能なトンネル覆工用型枠を備えている。この型枠装置は、一対のレール上に載置する台車と、トンネルの内空断面形状に対応したトンネル覆工用型枠と、覆工材料の充填装置（例えば、圧送ポンプ）等を備えている。
【００１７】
＜挿通孔＞
トンネル覆工用型枠２０の天端部付近には、図２〜図４に示すように、トンネル延長方向に沿って所定間隔で、支持具１０及び閉塞具３０を挿通するための挿通孔２１を設けてある。この挿通孔２１は、支持具１０及び閉塞具３０を挿脱可能な形状を有しており、本実施形態では、断面略長方形状の開口となっている。
【００１８】
＜本体部＞
本体部１１は、図１及び図３に示すように、トンネル覆工用型枠２０に設けた挿通孔２１を介して、内空側と地山側との間で挿脱可能な平板状の部材であり、挿入先端側（上側）に支持凹部１２を設け、挿入後端側（下側）に把持部１３を設けてある。また、本体部１１には、支持凹部１２をトンネル覆工用型枠２０の地山側へ挿入した位置で、本体部１１をトンネル覆工用型枠２０に止着するための止着孔（止着部）１４を設けてある。本実施形態では、本体部１１の長手方向に沿って上下２箇所の止着孔（止着部）１４が設けてあり、いずれか一方の止着孔（止着部）１４を用いて本体部１１をトンネル覆工用型枠２０に止着することができる。
【００１９】
複数の止着孔（止着部）１４を設けているのは、トンネル覆工用型枠２０の地山側において、支持凹部１２の位置を調整するためである。すなわち、下側（把持部１３側）の止着孔（止着部）１４を用いて本体部１１をトンネル覆工用型枠２０に止着した場合と、上側（支持凹部１２側）の止着孔（止着部）１４を用いて本体部１１をトンネル覆工用型枠２０に止着した場合とでは、トンネル覆工用型枠２０から支持凹部１２が突出する位置が異なることになる。
【００２０】
＜支持凹部＞
支持凹部１２は、図１及び図３に示すように、本体部１１の挿入先端側（上側）に設けた断面略Ｕ字状の切欠部であり、引抜きバイブレータ及びそのケーブル５０の外径よりも大きな内径を有している。また、支持凹部１２の深さ（切欠部の深さ）は、引抜きバイブレータ及びそのケーブル５０が若干上下動しても、支持凹部１２から抜け落ちない深さとなっている。
【００２１】
＜把持部＞
把持部１３は、図１及び図３に示すように、本体部１１の挿入後端側（下側）に設けた開口で、作業者の指先を挿入して本体部１１を把持することができるようになっている。作業者は、この把持部１３に指先を挿入して本体部１１を握ることにより、本体部１１の挿脱操作を容易に行うことができる。
【００２２】
＜閉塞具＞
閉塞具３０は、図５（ａ）、（ｂ）、（ｃ）に示すように、トンネル覆工用型枠２０の挿通孔２１から支持具１０を取り外した後、挿通孔２１に取り付けることにより、挿通孔２１を閉塞するための器具である。すなわち、閉塞具３０は、支持具１０とほぼ同様の厚みを有する平板状の部材である。この閉塞具３０の先端側（上側）には、挿通孔２１に嵌まり込んで挿通孔２１を塞ぐ閉塞部材３５を設けてあり、後端側（下側）には、把持開口３１を設けてある。
【００２３】
また、閉塞具３０の略中央部には、図５（ａ）に示すように、支持具１０に設けた止着孔１４と同様の止着孔３２を設けてある。閉塞具３０の止着孔３２は、支持具１０の止着孔１４と同様に、閉塞具３０をトンネル覆工用型枠２０に止着するための開口である。さらに、図５（ｂ）、（ｃ）に示すように、把持開口３１の上部から側方へ向かって支持板３３を延長して設けてある。この支持板３３の先端側には、断面略Ｕ字状の止着凹部３４を設けてある。
【００２４】
＜取付部＞
取付部４０は、図２に示すように、トンネル覆工用型枠２０に対して、支持具１０及び閉塞具３０を取り付けるための部材であり、トンネル覆工用型枠２０の内面から内空側に向かって延長して設けた板状の部材からなる。この取付部４０には、上述した支持具１０及び閉塞具３０に設けた止着孔３２が対向する位置に、止着桿４１を挿通するための止着桿挿通孔４２を設けてある。
【００２５】
支持具１０及び閉塞具３０をトンネル覆工用型枠２０に止着するには、図３及び図４に示すように、止着孔１４又は止着孔３２と止着桿挿通孔４２とを重ね合わせて、止着桿４１を一連に挿通すればよい。止着孔１４又は止着孔３２と止着桿挿通孔４２に対して、一連に止着桿４１を挿通することにより、支持具１０及び閉塞具３０をトンネル覆工用型枠２０に止着することができる。なお、図３及び図４に示すように、止着桿４１とトンネル覆工用型枠２０との間には、止着桿４１の脱落を防止するためのチェーン等からなる脱落防止部材４３を掛け渡すことが好ましい。
【００２６】
また、図２に示すように、取付部４０の下端部には、閉塞具３０の取付ボルト４４が設けてある。上述したように、閉塞具３０には支持板３３及び止着凹部３４が設けてあり、トンネル覆工用型枠２０に設けた挿通孔２１を閉塞具３０で閉塞した状態で、止着凹部３４に取付ボルト４４を挿入して、取付ボルト４４の先端にナット４５を螺着して締め付けることにより、取付部４０に対して閉塞具３０を固定することができる。
【００２７】
＜引抜きバイブレータ及びそのケーブルの支持＞
本実施形態の支持具１０を用いて、引抜きバイブレータ及びそのケーブル５０を支持するには、図３及び図４に示すように、トンネル覆工用型枠２０に設けた挿通孔２１の内空側から地山側に向かって、支持具１０を挿入し、トンネル覆工用型枠２０の地山側に、支持凹部１２を突出させる。そして、止着孔１４と止着桿挿通孔４２とを重ね合わせて、止着桿４１を一連に挿通することにより、支持具１０をトンネル覆工用型枠２０の取付部４０に固定する。
【００２８】
トンネル覆工用コンクリートを締め固めるには、上述した特許文献２と同様の工程を行う。すなわち、複数の支持具１０に沿って引抜きバイブレータを前進向きに挿入した後、トンネル覆工用型枠２０と地山との間にコンクリートを充填する。続いて、引抜きバイブレータを複数の支持具１０に沿って後退向きに引き出しながら締め固めを行う。締め固めが終了すると、支持具１０を挿通孔２１から取り外す。そして、支持具１０に代えて、挿通孔２１に閉塞具３０を挿通し、閉塞部材３５により挿通孔２１を閉塞した状態で、コンクリートの養生を行う。
【符号の説明】
【００２９】
１０  支持具
１１  本体部
１２  支持凹部
１３  把持部
１４  止着孔（止着部）
２０  トンネル覆工用型枠
２１  挿通孔
３０  閉塞具
３１  把持開口
３２  止着孔
３３  支持板
３４  止着凹部
３５  閉塞部材
４０  取付部
４１  止着桿
４２  止着桿挿通孔
４３  脱落防止部材
４４  取付ボルト
４５  ナット
５０  ケーブル
【図１】
2015209669.tif 000003
【図２】
2015209669.tif 000004
【図３】
2015209669.tif 000005
【図４】
2015209669.tif 000006
【図５】
2015209669.tif 000007